(57)【要約】【解決手段】活性剤を備えたパッケージについて開示されている。概括的には、開示されている各パッケージ（１０）は、一対の相対する側辺と、前記側辺同士を架橋する底部とに沿って一体に接続されている一対の相対するパネル（１６、１８）と、底部の反対側に形成された口部に沿って伸張する再閉可能なファスナー（１４）と、活性剤（５０）とを有している。活性剤（５０）は、本体パネル（１６、１８）の少なくとも一方と関係付けられており、パッケージに入っている腐敗し易い製品が傷むのを抑制し、パッケージに入っているそのような製品からの臭気を管理、隠蔽、及び／又は中和する鮮度延長剤を含んでいる。【選択図】図１
2007522040.tif 000002
【特許請求の範囲】
【請求項１】
再閉可能なパッケージにおいて、
一対の相対する側辺と、前記側辺同士を架橋する底部とに沿って一体に接続されている一対の相対する本体パネルと、
前記底部の反対側に形成されている口部に沿って伸張する再閉可能なファスナーと、
前記再閉可能なパッケージの内部と連通し、中に入っている腐敗し易い製品が傷むのを抑制するために、前記本体パネルの少なくとも一方に関係付けられている鮮度延長剤と、を備えている再閉可能なパッケージ。
【請求項２】
前記鮮度延長剤は、前記本体パネルの少なくとも一方に施された被覆、パッチ、ポーチ及びテープの内の少なくとも１つに含まれている、請求項１に記載の再閉可能なパッケージ。
【請求項３】
前記鮮度延長剤は、前記本体パネルの前記少なくとも一方に分配されている、請求項１に記載の再閉可能なパッケージ。
【請求項４】
前記鮮度延長剤は、前記本体パネルの前記少なくとも一方に、マイクロカプセルの形態で分配されている、請求項３に記載の再閉可能なパッケージ。
【請求項５】
前記鮮度延長剤の放出を選択的に開始する構造を更に備えている、請求項１に記載の再閉可能なパッケージ。
【請求項６】
前記鮮度延長剤は湿気によって放出される、請求項１に記載の再閉可能なパッケージ。
【請求項７】
前記鮮度延長剤はイソチオシアネート化合物を含んでいる、請求項１に記載の再閉可能なパッケージ。
【請求項８】
前記鮮度延長剤は酸を更に含んでいる、請求項７に記載の再閉可能なパッケージ。
【請求項９】
前記鮮度延長剤は芳香剤を更に含んでいる、請求項７に記載の再閉可能なパッケージ。
【請求項１０】
前記鮮度延長剤は、放出薬剤を有する透過性の鮮度延長層内に含まれている、請求項１に記載の再閉可能なパッケージ。
【請求項１１】
前記鮮度延長剤は鮮度延長層内に含まれており、前記再閉可能なパッケージは、
前記鮮度延長層の少なくとも一部に取り外し可能に取り付けられている取り外し可能なカバーを更に備えている、請求項１に記載の再閉可能なパッケージ。
【請求項１２】
前記鮮度延長層は前記本体パネルの一方に固定されており、前記取り外し可能なカバーは前記本体パネルの他方に固定されている、請求項１１に記載の再閉可能なパッケージ。
【請求項１３】
前記本体パネルの少なくとも一方に関係付けられている遮断層を更に備えている、請求項１に記載の再閉可能なパッケージ。
【請求項１４】
前記遮断層は、接着剤、同時押出成形、熱シール、及び溶着の内の少なくとも１つによって、前記本体パネルの少なくとも一方に取り付けられている、請求項１３に記載の再閉可能なパッケージ。
【請求項１５】
前記鮮度延長剤は鮮度延長層内に含まれており、前記再閉可能なパッケージは、
前記鮮度延長層に隣接して配置されている拡散層を更に備えている、請求項１に記載の再閉可能なパッケージ。
【請求項１６】
前記拡散層は、前記鮮度延長層より前記内部近くに配置されている、請求項１５に記載の再閉可能なパッケージ。
【請求項１７】
前記鮮度延長剤は鮮度延長層内に含まれており、前記本体パネルの少なくとも一方は、前記本体パネルを貫通して伸張している穿孔を画定し、前記鮮度延長層は、前記本体パネルの前記少なくとも一方の外側に前記穿孔に隣接して配置されている、請求項１に記載の再閉可能なパッケージ。
【請求項１８】
前記鮮度延長剤は、前記本体パネルの一方に取り付けられている鮮度延長層内に含まれており、前記鮮度延長層は、前記相対する本体パネルの間に伸張し且つそれに固定されている一回限り破断可能要素を含んでいる、請求項１に記載の再閉可能なパッケージ。
【請求項１９】
再閉可能なパッケージにおいて、
内側表面と外側表面を有する第１の相対する本体パネルと、
内側表面と外側表面を有する第２の相対する本体パネルであって、前記第１及び第２本体パネルは、一対の相対する側辺と、前記側辺同士を架橋する底部とに沿って接続され、一端に開放口部を形成しており、前記接続された第１及び第２本体パネルは、内部空間を形成している、第２の相対する本体パネルと、
前記第１及び第２の相対する本体パネルの前記内側表面の前記一端に沿って伸張する再閉可能なポリマーシールと、
遮断層である第１ポリマー層と、拡散層であり、鮮度延長剤を含んでいる第２ポリマー層とを含んでいる少なくとも１つのポリマー鮮度延長構造であって、前記第２ポリマー層は、前記第１ポリマー層に隣接しており、前記第１ポリマー層は、前記第２層の前記鮮度延長剤が前記内部空間と連通するように前記パッケージに取り付けられている、少なくとも１つのポリマー製鮮度延長構造と、を備えている再閉可能なパッケージ。
【請求項２０】
遮断層である第１ポリマー層と、
拡散層であり、鮮度延長成分を含んでいる第２ポリマー層であって、前記第１ポリマー層に隣接している第２ポリマー層と、
前記第２ポリマー層の少なくとも一部に取り外し可能に取り付けられている取り外し可能なカバーと、を備えている鮮度延長構造。
【発明の詳細な説明】
【技術分野】
【０００１】
本発明は、パッケージと、そのようなパッケージ内の活性剤を放出するための構造及び方法に関する。より具体的には、本発明は、鮮度延長剤、臭気管理剤、及び他の機能剤のような活性剤と、腐敗し易い製品の鮮度を延長し、そのようなパッケージの中に入っているそのような製品に関係する臭気を管理又は制御するために、そのような活性剤を放出するための構造及び方法に関する。
【背景技術】
【０００２】
パッケージを様々な家事及び産業目的に使用することは、広く受け入れられている。例えば、袋と容器は、腐敗し易い製品及び品目を保存するために、商業団体及び消費者に広く用いられている。例えば、袋又はライナーは、産業環境及び家事でごみ又は廃棄物を集めるのに広く用いられている。
【０００３】
蓋が装着されるか又はヒンジで取り付けられた食品容器のような再閉可能なパッケージと、閉じるための押し付け部又はスライダーファスナーが付いている袋は、事前包装された腐敗し易い製品の供給者及び消費者にとって、特に、通常は何時も一時に製品の一部しか使用しないランチョンミートやチーズのような製品の場合は、非常に便利である。再閉可能なパッケージは、残りものの腐敗し易い製品を保存するために家庭で使用するのに特に便利である。しかしながら、これらの再閉可能なパッケージに関わる問題は、パッケージが、腐敗し易いものをパッケージ内に保存し、新鮮なまま保持できる期間を延長するように作用するどの様な機能も備えていないことである。従って、パッケージの内容物は直ぐに傷み、傷んでしまえば、内容物は人間が消費するのにもはや適さなくなる。腐敗し易いものが傷んでしまうために生じるコストは、再閉可能なパッケージの消費者と商業的ユーザーの両方にとって重大な問題である。
【０００４】
腐敗し易いものが傷むという問題に取り組む或る試みには、酸素を実質的に通さない層状の開封抵抗シールを使用することが含まれている。この型式のシステムでは、パッケージが最初に開封される際にシールは破られ、腐敗し易いものが傷むのをそれ以降抑制することはない。この型式のシステムは、従って、パッケージが最初に開封されるまでに、腐敗し易いものが傷む問題に取り組んでいるだけで、使い残した腐敗し易い製品を保存袋に入れる家庭にいるユーザーの役には立たない。従って、腐敗し易いものが傷むのを抑制する機能を備えたパッケージが必要とされている。
【０００５】
熱可塑性の袋又はライナーのようなパッケージも、ごみ又は廃棄物の袋として広く用いられている。一般的に、そのような袋は、３つの側辺に沿って連結され、４つ目の側辺に沿って形成された口部を有する２層の熱可塑性フィルムを有する構造で作られている。この基本的な構造は、意図した袋の用途によって変わる寸法及形状の範囲に適合するように作られてきた。
【０００６】
ごみ袋又はライナーは、不快な臭いを作り出すことの多い廃棄物を集めるのにしばしば用いられる。この問題に取り組むために、製造業者は、そのような袋を形成する際に、芳香性樹脂を１つ又は複数のポリマー樹脂と組み合わせてきた。芳香性樹脂は、従って、袋全体に均一に分配される。そのような廃棄物袋は、少なくとも或る種の臭気の隠蔽、中和及び／又は低減を支援する。
【０００７】
しかしながら、そのような廃棄物袋には数多くの欠点がある。例えば、芳香性樹脂は袋全体に分配されるために、ユーザーが不快な臭気と遭遇しがちな場所（例えば袋の口部）に、芳香が集中するものではない。更に、そのような袋は製造し難いという問題もある。例えば、所望量の芳香を袋の口部近くに持たせるには、袋の残り部分を通して過剰な芳香材料を分配する必要があり、香りが強烈になりかねない。勿論、用いられる芳香材料の量が不十分であれば、提供される芳香は、不愉快な臭気を隠蔽、中和又は低減するのに適切でなくなる。更に、そのようなごみ袋に用いられる芳香性樹脂は、ごみ袋を形成するのに用いられる他のポリマー樹脂よりかなりコスト高になりがちなので、比較的等しい量の芳香性樹脂を袋全体に分配するのは経済的に望ましくない。従って、そのような欠点無しに臭気を管理する機能付きのパッケージが必要とされている。
【特許文献１】米国特許第５，０６７，２０８号
【特許文献２】米国特許第６，１４７，５８８号
【特許文献３】米国特許出願第２００４／００６６９８５号
【特許文献４】米国特許第６，０４２，５８６号
【特許文献５】米国特許第６，２５７，４０１号
【特許文献６】米国特許第６，３４９，８５７号
【特許文献７】米国特許第６，６４４，４９４号
【特許文献８】米国特許第６，８４５，８７８号
【特許文献９】米国特許出願第２００４／００７４９０２号
【特許文献１０】米国特許出願第２００５／００００９６６号
【特許文献１１】米国特許出願第２００３／０２２３６５７号
【特許文献１２】米国特許出願第（弁理士事件整理番号第０８６０１２−３８６００−ＵＳＰＴ）号
【発明の開示】
【課題を解決するための手段】
【０００８】
活性剤付きパッケージを以下に開示する。
概括的には、本発明で開示している各パッケージは、一対の相対する側辺と、前記側辺同士を架橋する底部とに沿って一体に接続されている一対の相対する本体パネルと、底部の反対側に形成されている口部に沿って伸張する再閉可能なファスナーと、少なくとも１つの活性剤と、を有している。
【０００９】
本発明の或る態様によれば、再閉可能なパッケージには鮮度延長剤が設けられており、鮮度延長剤は、パッケージの内部と連通し、中に入っている腐敗し易い製品が傷むのを抑制するために、パッケージの本体パネルの少なくとも一方に関係付けられている。鮮度延長剤は、本体パネルの少なくとも１つに貼り付けられた被覆、パッチ、ポーチ、及びテープの少なくとも１つに入っている。或いは、鮮度延長剤は、本体パネルの少なくとも一方に分配されている。例えば、鮮度延長剤は、本体パネルの少なくとも一方に、マイクロカプセルの形態で分配されている。イソチオシアン酸アリルのようなイソチオシアン酸塩化合物を、鮮度延長剤として含せてもよい。鮮度延長剤は、酸、及び／又は芳香剤を更に含んでいてもよい。
【００１０】
本発明の別の態様によれば、鮮度延長剤の放出を選択的に開始する構造が設けられている。或いは、鮮度延長剤は、湿度によって放出される。
本発明の別の態様によれば、透過性の鮮度延長層は、鮮度延長剤を含んでいる。透過性の鮮度延長層は、放出剤を含んでいる。或る種の実施形態では、鮮度延長層の少なくとも一部分に取り外し可能に取り付けられている取り外し可能なカバーが設けられており、鮮度延長層は、再閉可能なパッケージの本体パネルの一方に固定されており、取り外し可能なカバーは、再閉可能なパッケージの本体パネルの他方に固定されている。
【００１１】
本発明の別の態様では、再閉可能なパッケージの本体パネルの少なくとも一方に関係付けられた遮断層が設けられている。遮断層は、接着剤、同時押出成形、熱シール、及び溶着の内の少なくとも１つを介して、本体パネルの少なくとも一方に取り付けられている。
【００１２】
本発明の別の態様によれば、拡散層が設けられ、鮮度延長剤を含んでいる鮮度延長層に隣接して配置されている。拡散層は、鮮度延長層より再閉可能なパッケージの内部に近接して配置されている。
【００１３】
本発明の別の態様によれば、再閉可能なパッケージの本体パネルの少なくとも一方には、本体パネルを貫通して伸張する穿孔が形成されており、鮮度延長剤を含んでいる鮮度延長層が、前記穿孔に隣接する本体パネルの少なくとも一方の外側に配置されている。
【００１４】
本発明の別の態様によれば、鮮度延長剤を含んでいる鮮度延長層は、再閉可能なパッケージの本体パネルの一方に取り付けられている。鮮度延長層は、再閉可能なパッケージの相対する本体パネルの間に伸張し、それらに固定されている一回限り破断可能要素を含んでいる。
【００１５】
本発明の別の態様によれば、再閉可能なパッケージには、内側表面と外側表面を有する第１の相対する本体パネルと、内側表面と外側表面を有する第２の相対する本体パネルと、再閉可能なポリマーシールと、ポリマー鮮度延長構造とが設けられている。相対する本体パネルは、一対の側辺と前記側辺同士を架橋する底部に沿って接続され、一端の開放口部と内部空間を形成している。再閉可能なポリマーシールは、第１及び第２の相対する本体パネルの内側表面の一端に沿って伸張している。ポリマー製鮮度延長構造は、遮断層である第１ポリマー層と、拡散層であり、鮮度延長剤を含んでいる第２ポリマー層とを含んでいる。第２ポリマー層は、第１ポリマー層に隣接している。第１ポリマー層は、第２層の鮮度延長剤が内部空間と連通するように、パッケージに取り付けられている。
【００１６】
本発明の別の態様によれば、鮮度延長構造には、遮断層である第１ポリマー層と、拡散層であり、鮮度延長剤を含んでいる第２ポリマー層と、第２ポリマー層の少なくとも一部分に取り外し可能に取り付けられている取り外し可能なカバーとが設けられている。第２ポリマー層は、第１ポリマー層に隣接している。
【００１７】
開示している本発明のパッケージの上記及びこの他の特徴は、以下の詳細な説明と添付図面を参照すれば、より完全に理解頂けるであろう。図面は、一定の縮尺で描いているわけではなく、相対的な寸法を示しているに過ぎない。
【発明を実施するための最良の形態】
【００１８】
本発明は、活性剤が中に組み込まれているパッケージ、パッケージ材料及び他の関係する構造に関する。従って、本発明は、再閉可能なプラスチック袋、ごみ袋とライナー、硬い廃棄物容器、気密容器、弁当箱、及び腐敗し易いものの包装又は腐敗し易いもののカバーに広く用いられる包装ラップ及びフォイルのような様々な可撓性で硬質の容器及びパッケージのための用途を有している。
【００１９】
ここで用いる「パッケージ」という用語は、可撓性プラスチック袋及び硬質容器のようなあらゆる種類のパッケージ又は容器、並びに腐敗し易い品目を包装又は保存するのに広く用いられるフォイル又はラップを含むものと理解されたい。
【００２０】
ここで用いる「活性剤」という用語は、パッケージ又は容器内に強化又は有益な効果を提供するあらゆる薬剤、成分、組成を含むものと理解されたい。活性剤は、パッケージ内に保存されている食品又は他の腐敗し易いものの鮮度又は貯蔵寿命を延長するための「鮮度延長」剤か、パッケージからの臭気を遮断、中和、及び／又は低減するための「臭気管理」剤か、又は他の機能剤を含んでいる。
【００２１】
本発明の各活性剤は、パッケージと組み合わせて用いられる。具体的には、本発明の各鮮度延長剤は、パッケージ内の食品又は他の腐敗し易いものが傷むのを抑制するのに用いられ、本発明の各臭気管理剤は、パッケージからの臭気を低減、中和、及び／又は遮断するために用いられる。本発明の各活性剤は、パッケージの環境内に配置されており、例えば、パッケージの構成要素に貼り付けられた被覆、パッチ、ポーチ、又はテープの形態で配置され、パッケージの構成要素と共に押出成形され、パッケージの構成要素上に噴射、ブラシがけ、被覆、積層又は型押しされ、パッケージの構成要素にしみ込ませ、及び／又はパッケージの構成要素の材料内に、例えばマイクロカプセル形態で分配されている。
【００２２】
限定するわけではなく分かり易くするためにであるが、本発明の鮮度延長剤は、腐敗し易い品物を保存するためのポリマー袋の環境内に配置することができる。ポリマー袋は、消費者が食品（例えば、使い残しの食品）を保存するため、又は食品を「形成、詰め込み及び密封」する包装作業のような用途のためのものである。ポリマー袋には、再閉不能なポリマー袋と再閉可能なポリマー袋がある。再閉可能なポリマー袋は、通常、再密閉可能な接着剤又は粘着性シール、噛み合い軌道及び噛み合い窪みのような、再閉可能要素又はファスナーによって、再閉可能になっている。噛み合い軌道は、指で圧力を掛けるか、又はスライダーのような補助装置を用いることによって、開閉することができる。再閉可能ポリマー袋の例には、米国特許第５，０６７，２０８号、第６，１４７，５８８号、及び米国特許出願第２００４／００６６９８５号に開示されている袋が含まれ、これらの文書の内容全体を、参考文献としてここに援用する。
【００２３】
更に、限定するわけではなく分かり易くするためにであるが、本発明の鮮度延長剤は、パン屋の容器、調理済み食品の容器、果物の容器、弁当箱、及びロースターの容器のような、腐敗し易いものを保存するための硬質パッケージの環境内に配置することもできる。容器の例には、米国特許第６，０４２，５８６号、第６，２５７，４０１号、第６，３４９，８５７号、第６，６４４，４９４号、第６，８４５，８７８号及び米国特許出願第２００４／００７４９０２号及び第２００５／００００９６６号に開示されている容器が含まれ、これらの文書の内容全体を、参考文献としてここに援用する。
【００２４】
更に、制限するわけではなく分かり易くするためにであるが、本発明の臭気管理剤は、ごみ又は廃棄物を集めるための袋、ライナー及び硬質のごみ入れ容器、及び洗濯物及びオムツのような望ましくない臭気を醸す品目を集めるための他の容器等の環境で使用することができる。そのような廃棄物の袋は、袋又はライナーをしっかりと閉じ、廃棄する袋又はライナーを運ぶための取っ手を形成し、及び／又は袋又はライナーを開き易くするのを支援する結び機構を含んでいる。廃棄物袋の例には、米国特許出願第２００３／０２２３６５７号に開示されている袋が含まれ、その文書の内容全体を参考文献としてここに援用する。
【００２５】
開示しているパッケージと、関係する構造及び活性剤について全般的に理解頂けるように、実証的実施形態について以下説明する。限定するわけではなく分かり易くするためにであるが、本発明のパッケージについて、再閉可能なポリマー袋に関して説明する。実証的実施形態の１つ又は複数の例を図面に示している。当業者には理解頂けるように、開示している活性剤付きの各袋は、他の用途に合わせて、活性剤付きの袋、容器及び他のパッケージの代替実施形態を提供するために適合させ、修正することができ、本開示の範囲から逸脱することなく、開示しているパッケージ及び活性剤に他の追加と修正を施すこともできる。例えば、各実証的実施形態の特徴を組み合わせ、分離し、交換し、及び／又は再配置して、他の実施形態を作ることもできる。そのような修正と変更は、本開示の範囲内に含まれるものとする。
【００２６】
図１は、活性剤が入っている薬剤構造５０を備えた再閉可能なパッケージ１０の口部を示している。薬剤構造５０は、ファスナー又はジッパー１４のような再閉可能な閉鎖装置の下方に配置されている。図２は、図１に示した口部が部分的に開いた状態にある再閉可能なパッケージ１０を示している。
【００２７】
図１と図２では、再閉可能なパッケージ１０の口部は、パッケージ本体２０を形成し、内部空間２２を画定する一対の相対する第１及び第２本体又は壁パネル１６、１８を含んでいる。第１本体パネル１６には、第１形状部２６と、第１形状部２６から概ね下向きに伸張する第１フィン部分２８とを有する第１軌道２４が接続されている。第１本体パネル１６は、外側表面１６ａと内側表面１６ｂを有している。第２本体パネル１８には、第２形状部３２と、第２形状部３２から概ね下向きに伸張する第２フィン部分３４とを有する第２軌道３０が接続されている。第２本体パネル１８は、外側表面１８ａと内側表面１８ｂを有している。内側表面１６ｂは、第１フィン部分２８に取り付けられている。内側表面１８ｂは、第２フィン部分３４に取り付けられている。１つ又は複数のフィン部分を外側表面１６ａ、１８ａに取り付けることも考えられる。
【００２８】
第１及び第２形状部２６、３２は、パッケージ１０に再閉可能なシールを提供するために、互いに解除可能に係合させることができる。最初は第１フィン部分２８から第２フィン部分３４まで伸張している随意の破断可能要素１２を使用することもできる。図１に示す破断可能要素１２は、一回限り破断可能な開封証拠機構を形成する随意の一回限り破断可能な優先弱体領域又は優先引裂領域３８を備えている。破断可能要素１２が、一回限り破断可能な優先弱体領域３８を有している必要はない。例えば、或る実施形態では、破断可能要素１２は、再密閉可能な接着剤又は粘着性シールを含んでいる。一回限り破断可能な優先弱体領域３８は、切り目線、一連のミシン目、又は高指向性領域でもよい。更に、優先弱体領域３８は、切断することによって分離させるように作ってもよい。優先弱体領域３８は、再閉可能なパッケージ１０を開封前にいじることを阻止する。
【００２９】
再閉可能なパッケージ１０は、更に、閉位置と開位置の間で動かせるように、ファスナー１４に滑動可能に取り付けられた随意のスライダー機構３６（図２）を含んでいる。図１と図２に示すように、第１及び第２形状部２６、３２は、スライダー機構３６が閉位置にあるときには互いに係合されており、スライダー機構３６を閉位置から開位置へ動かすと、形状部２６、３２が互いに係合解除される。
【００３０】
図２のパッケージ１０は、更に、終端部３７を含んでいる。終端部は、（ａ）スライダー機構３６がファスナー１４の端部を通過するのを防ぐ又は阻止する、（ｂ）スライダー３６と相互作用して閉鎖したという触感を与える、（ｃ）パッケージ１０からの漏れを阻止又は防止するのを支援する、（ｄ）第１及び第２形状部２６、３２を一体に保持し、パッケージ１０を正常に使用する際に形状部２６、３２に掛かる応力に抗する追加的強度を提供する、等々の様々な目的を有している。スライダー機構３６と終端部３７の構造と作用に関する詳細については、Ｈｅｒｉｎｇｔｏｎ．Ｊｒらへの米国特許第５，０６７，２０８号に記載されており、同特許全体を参考文献としてここに援用する。
【００３１】
上記終端部３７の代わりに、別の終端部を使用することも考えられる。例えば、高温のバーをファスナーの端部に押し付けるか、超音波溶着か、又は当技術で既知の他の方法によって端部を溶着してもよい。
【００３２】
図１と図２に示しているように、本発明の再閉可能なパッケージ１０は、消費者が、スライダー機構３６を掴んで、第１及び第２軌道２４、３０それぞれの第１及び第２形状部２６、３２が互いに引き離れるように動かすことによって開かれる。次に、消費者は、優先弱体領域３８に沿って（在る場合は）破断可能要素１２を破って開く。代わりに、消費者は、破断可能要素１２が使用されている場合は、それを切断することによって、破断可能要素１２を開いてもよい。パッケージは、ファスナー１４とスライダー機構３６を使って再密閉することができる。具体的には、消費者は、スライダー機構３６を握り、開位置から閉位置へ動かして、相補的な第１及び第２形状部２６、３２を係合させる。
【００３３】
一回限り破断可能要素１２は、新しく購入したパッケージが以前に開かれていないことを消費者に保証するだけでなく、最初に開くまでは、パッケージの腐敗し易い内容物の鮮度を保ち、水分のような活性化の引き金を引く条件によって活性剤が活性化するのを阻止又は防止できる良好な初期シールを提供する。図１の再閉可能な閉鎖装置は、一回限り破断可能要素の上方に配置されている（即ち、再閉可能な閉鎖装置は、内部空間から遠い側にある）ので、再閉可能な閉鎖装置の操作は、一回限り破断可能要素が在ることによって妨害されることはない。
【００３４】
図１に概略的に示すように、第１本体パネルの内側表面１６ｂには、少なくとも１つの活性剤が入っている薬剤構造５０が取り付けられている。活性剤は、パッケージ又はその内容物に所望の機能又は効果を提供できることが知られている物質を含んでいる。或る実施形態では、活性剤は、パッケージの中に入っている食品又は他の腐敗し易いものの寿命又は鮮度を延長させる働きをする鮮度延長剤を含んでいる。別の実施形態では、活性剤は、望ましくない臭気を隠蔽、中和、及び／又は低減するか、又はパッケージ内に芳香性の臭気を作り出す働きをする臭気管理剤を含んでいる。
【００３５】
薬剤構造５０は、所望の薬剤効果及びパッケージの構造に適した形態及び構造で提供される。例えば、或る実施形態では、薬剤構造５０は、被覆、パッチ、テープ、ポーチ、それらの組み合わせの形態、又は、パッケージ１０の構造に組み込まれているか統合されている何らかの別の形態を取っている。被覆、パッチ、ポーチ又はテープの選択は、しばしば、用いられる活性剤の種類によって決まる。例えば、粉末形態の活性剤（例えば、化学薬品が入ったミネラル）は、粉末をパッチ内に埋め込むことは難しいことが多いため、パッチではなく通気性のポーチの中に配置することができる。代わりに、粉末形態の活性剤は、本体パネルのようなパッケージの構成要素の上に振り掛けることもできる。限定するわけではないが、薬剤構造５０に組み込むことのできる粉末状の活性剤には、パーライト、炭酸カルシウム、カオリン、及びＥｎｇｅｌｈａｒｄによって製造されたＡＳＥＰＴＲＯＬ抗微生物性剤が含まれる。
【００３６】
薬剤構造５０を支持するのにテープ又はポーチを用いる場合は、テープ又はパッチは、接着剤、パッチ状の構成要素、及び／又は、薬剤構造が接着剤に付着するのを阻止又は防止するのを支援をするスリップ添加剤のような剥離システムを含んでいてもよい。例えば、剥離システムは、テープ又はパッチが取り付けられる本体パネルに接触する表面から遠位側に配置されるテープ又はパッチの表面に配置して、パッケージがロールに巻かれるときに、付着が阻止又は防止されるようにする。そのような剥離システムの成分としては、シロキサン及びグリセロールモノステアレートのような材料がある。
【００３７】
本発明の別の態様によれば、活性剤は、本体パネル１６と共に押出成形される。例えば、活性剤は、油又は粉末の形態で本体パネル材料に配合されるか、又は、マイクロカプセルの形態で本体パネル１６の材料内に分配される。或る好適な実施形態では、活性剤は、パッケージ構造内に統合されるまでは、マイクロカプセルに包まれている。マイクロカプセル化は、活性剤を、包装処理及び製造中の熱に耐え得るポリマー材料の中に囲い込むが、このポリマー材料は、水分のような所定の環境要因と接触すると、劣化、溶解又は何らかの方法で破れて、活性剤を放出する。活性剤をマイクロカプセルに包み、大量生産する間に、マイクロカプセルを、本体パネルの溶融材料内に散在させ、本体パネル１６へと押出成形してもよい。
【００３８】
また、本体パネル１６に、何らかのやり方で活性剤をしみ込ませてもよい。本体パネル１６に活性剤を噴射、ブラシがけ、被覆、積層、型押し、又は他の方法で塗布することも考えられる。
【００３９】
或る実施形態では、活性剤は、１つ又は複数の鮮度延長剤を含んでいる。鮮度延長剤は、例えば、天然の油、抗微生物物質、雰囲気修飾物質、又は食品又は他の腐敗し易い物質の鮮度又は貯蔵寿命を延長することのできる物質でもよい。例えば、限定するわけではないが、鮮度延長成分の例には、天然供給源からのイソチオシアン酸アリル（ＡＩＴ）のようなイソチオシアン酸塩、ｄ−リモネン、オイゲノール、アリシン、イソチモール、チモール、二酸化塩素、過酸化水素、過炭酸塩ナトリウム、アスコルビン酸、クエン酸、ケイ皮アルデヒド、マスタード、シナモン、ペパーミント、スペアミント、トリクロサン、ニラ（ユリ科ニラ）、シナモン（クスノキ科ニッケイ）、サンシュユ（みずき科サンシュユ）、シアン化アリル、１シアン２、３−エピチオプロパン、チオシアン酸アリル、乳酸菌ｒｅｕｔｅｒｉ、イソチオシアン酸メチル、シナモン樹皮油、レモングラス油、サイム油、メチルジャスモネート、チャノキ油、エチルアルコール、サリチルアルデヒド、カルバクロール、シメン、様々なタマネギのエッセンシャルオイル抽出物、ニンニクのエッセンシャルオイル抽出物、クランベリー、クラウドベリー、ラズベリー、ストロベリーとビルベリーからのベリーフェノール抽出物、ナツメグ、ミント、クローブ、オレガノ、シナモン、サッサフラス、セージ、タイムとローズマリーからのエッセンシャルオイル、バニリン、バニリルアルコール、バニリン酸、ジアセチル、天然ハチミツ、二酸化フッ素、二酸化炭素、雰囲気修飾物質、及びそれらの組み合わせが含まれる。雰囲気修飾物質には、窒素、酸素、二酸化硫黄、一酸化炭素、二酸化炭素、及びそれらの組み合わせが含まれる。
【００４０】
カラシ及びワサビのような植物又は腐敗し易いものから天然に得られるＡＩＴは、その抗微生物特性のために、鮮度延長剤として特に有用である。ＡＩＴは、グルコシノレートとミロシナーゼ酵素が入っているカラシのような植物から作るのが望ましい。ミロシナーゼとグルコシノレートは、互いに反応してＡＩＴを作り、反応は加水分解を伴うので、湿気がＡＩＴの生成を活性化させる。ＡＩＴは、抗細菌特性及び抗微生物特性を示すことが分かっており、パッケージ雰囲気全体に気体の形態で放出されると、細菌の成長を抑制するように雰囲気を増強するので、腐敗し易いものの鮮度が延長する。従って、抽出物、粉末、油又は細かく挽いた種のような様々な形態のワサビ、西洋ワサビ及びカラシを含むＡＩＴ生成製品を、本発明の実施形態の鮮度延長剤として用いることができる。
【００４１】
或る実施形態では、ＡＩＴ入り鮮度延長剤を、他の機能剤と組み合わせて用いることもできる。例えば、そのような或る実施形態では、ＡＩＴは、酸と組み合わされており、これは、カラシからのＡＩＴ生成、従って、カラシの抗微生物性効果を大いに促進する。この様に、細かく挽いたカラシの種を鮮度延長剤として用いれば、これを無水クエン酸のような無水酸と所望の比率で組み合わせて、ＡＩＴの生成を増し、鮮度延長機能を増強することができる。
【００４２】
鮮度延長剤は、他の促進機能を提供することもできるので、そのような他の目的に用いることもできる。或る実施形態では、鮮度延長剤は、食品の鮮度を延長させるための鮮度成分と、パッケージ内に保存されている内容物の臭気ではなく鮮度成分の刺激臭だけを隠蔽、低減、及び／又は中和するための臭気成分を含んでいる。内容物の腐敗又は傷み具合が匂いによって検出できるように、臭気成分は、食品の臭気又は食品が傷んだ臭気のような、パッケージ内に保存されている内容物の臭気を隠蔽しないのが望ましい。例えば、ＡＩＴ鮮度成分を含む鮮度延長剤は、ＡＩＴの刺激臭を隠蔽するが、保存されている内容物の臭気を隠蔽しないか、又はこれに影響を及ぼさないバニラ、シナモン又は柑橘油のような芳香成分を含んでいてもよい。鮮度延長剤は、それ自体の感覚器官を刺激する特性を保存されている内容物に付与せず、従って、ユーザーが、保存されている内容物の腐敗又は傷み具合を臭いによって容易に検出できるのが望ましい。
【００４３】
代わりに、或る実施形態では、薬剤構造５０は、１つ又は複数の臭気管理剤を含んでいる。好都合に、臭気管理剤は、望ましくない臭気を隠蔽、中和、及び／又は低減するために、ごみ又は廃棄物収集用に作られたパッケージ内に組み込むことができる。代わりに、臭気管理剤を使用して、臭気をパッケージに提供し又は作り出すこともできる。臭気管理剤は、この様に、熱可塑性樹脂の袋又はライナー、及びごみ又は廃棄物袋のような他の容器、おむつ容器、洗濯物袋、保存袋、及び廃棄可能な医療用袋又は容器に組み込むこともできる。
【００４４】
限定するわけではないが、臭気管理剤の例には、ＡＩＴ、ｄ−リモネン、カラシ、天然油、二酸化塩素、硫化水素、メチルメルカプタン、アンモニア、シトロネラ油、マツ、花、及びＭＥＴＡＺＥＮＥのような置換エステルが含まれる。
【００４５】
臭気管理剤の好適な実施形態にはＡＩＴが含まれており、ＡＩＴ剤は、例えば、カラシを薬剤構造５０に組み込むことによって提供することができる。カラシは、細かく挽かれたカラシの種、粉末、油又はペーストの何れかの形態で、単独で、又はカラシからのＡＩＴ生成に触媒作用を及ぼしてカラシの抗微生物性と臭気管理特性を促進する酸と組み合わせて提供することができる。先に述べたように、ＡＩＴは、腐敗し易いものの鮮度を延長させるのに有効であることから、腐敗し易いもののパッケージに組み込まれたときに、複数の機能を提供し、例えば、ＡＩＴは、鮮度延長と臭気管理機能の両方を実行することができる。
【００４６】
或る実施形態では、臭気管理剤は、ユーザーに心地良い又は所望の臭気又は芳香を提供するために追加の成分を含んでいる。例えば、レモングラス油のような天然油を使って、パッケージから放たれる臭気を管理するか、主要な臭気管理剤自体の臭気を隠蔽するか、或いは、臭気管理剤の臭気をユーザーにとって更に心地良くすることができる。細かく挽かれたカラシの種と無水酸を約５重量％のレモングラス油と混ぜ合わせた組成物は、不快な臭気を管理するのに特に有効であることが分かっている。
【００４７】
薬剤構造５０は、パッケージに所望の香りを提供するための芳香族又は香料の成分を含んでいる場合は、パッケージ内部の香りの濃度を増強するための追加の物質を含んでいてもよい。例えば、薬剤構造５０は、香の濃度を高めるためにパーライトを含んでいてもよい。パーライトには、香りを保持する能力、安定性、及びその表面領域があるので、使用するのに適している。限定するわけではないが、香りを増強するための他の材料の例には、微小球体、タルク、シリコン、ケイ酸アルミニウムのようなケイ酸塩、バーミキュライト、珪藻土、又はそれらの組み合わせが含まれる。
【００４８】
更に本発明によれば、薬剤構造５０には、再閉可能なパッケージが開かれるか、又は内容物が詰め込まれると始動する、活性化システムを設けてもよい。活性化システムは、分離させると活性剤の放出を開始するミシン目又は剥離システムのような、機械的なものでもよい。別の活性化法は、パッケージ内に存在する湿気又は水分のレベル（例えば、内容物の水の活性に関係する）に基づいている。例えば、大量の湿気は、化学反応又は他の反応を開始させ、その結果、二酸化炭素又は二酸化塩素のような揮発性化学物質が放出される。そのような例では、再閉可能なパッケージ内の湿度が高いほど、大量の活性剤が加えられる。高い湿度レベルで活性化される反応の例は、炭酸水素ナトリウムとクエン酸か、次亜塩素酸ナトリウムとクエン酸のような塩と酸の反応である。ＡＩＴの放出は、先に説明したように、湿気によっても助けられる。そのような例では、湿気が増すと、更に多くの量の活性剤がパッケージ雰囲気中に放出される。
【００４９】
湿気により活性化される鮮度延長剤の付いた再閉可能なパッケージの操作法では、例えば、腐敗し易いものがパッケージの内部に入れられると、腐敗し易いものの湿気又は水分レベルが鮮度延長剤を活性化させる。更に、薬剤構造が、袋状のパッケージの口部近く、又は容器状のパッケージの縁近くに配置されている場合は、選択的な活性化又は放出を行うことができる。例えば、腐敗し易いものが（例えば、腐敗し易い製品を内部に最初に入れる際にパッケージの口部を通るか、又は縁を越えて）薬剤の近くを通る際、腐敗し易い製品が内部に入ったままの状態になっているとき、及び（例えば、パッケージを開いた際に）空気が内部に入ると、腐敗し易いものの湿気又は水分レベルが薬剤を活性化する。薬剤構造をパッケージの口部又は縁近くに配置するのは、透明なパッケージで内容物を最大限に表示する必要がある場合にも、好都合である。
【００５０】
また、湿気活性化法は、遮断層材料を備えることによって制御することができる。例えば、本体パネルを遮断層とするか、又は遮断材料で形成して、密閉環境を作り、パッケージを閉じると湿気の導入及び活性剤の放出を防ぐか阻止できるようになっているのが望ましい。ここで用いる「遮断層」及び「遮断材料」という用語は、パッケージ雰囲気中への活性剤の放出を完全に遮断又は防止する層又は材料ではなく、そのような放出を抑制又は何らかの方法で制御する層または材料のことである。
【００５１】
そのような材料の一例は、低密度ポリエチレン（ＬＤＰＥ）に組み込まれているポリエチレングリコール（ＰＥＧ）である。水、水蒸気、酸素、窒素、二酸化炭素、エチレン、揮発性又は不揮発性活性剤の移動に対する遮断壁となる他の材料には、限定するわけではないが、低密度ポリエチレン（ＬＤＰＥ）、直鎖状低密度ポリエチレン（ＬＬＤＰＥ）、直鎖状中密度ポリエチレン（ＬＭＤＰＥ）、高密度ポリエチレン（ＨＤＰＥ）、極低密度ポリエチレン（ＶＬＤＰＥ）、メタロセン（ｍＰＥ）、ポリプロピレン（ＰＰ）、配向ポリプロピレン（ＯＰＰ）、アクリロニトリルブタジエンスチレン（ＡＢＳ）、アクリロニトリル−スチレン−アクリレート（ＡＳＡ）、アクリロニトリル−ＥＰＤＭ−スチレン（ＡＥＳ）、ＡＳＡ／ＡＥＳコポリマー、ポリアミド６、ポリアミド６６とそのコポリアミド、ポリビニル塩化物（ＰＶＣ）、アクリル、ポリブチレンテレフタレート（ＰＢＴ）、熱可塑性ポリエステル（ＴＰＥ）、エチレン／エチルアクリレート（ＥＥＡ）、エチレン／ビニルアセテート（ＥＶＡ）、ポリスチレン（ＰＳ）、耐衝撃性ポリスチレン（ＨＩＰＳ）、改良ポリスチレン、エチレン−ビニルアルコール（ＥＶＡＬ又はＥＶＯＨ）、塩化ポリビニリデン（ＰＶＤＣ）、液晶ポリマー（ＬＣＰ）、ポリアミド、ポリアクリル酸（ＰＡＡ）、ポリ乳酸（ＰＬＡ）、ポリエチレンテレフタレート（ＰＥＴ）、ポリエチレンテレフタレートグリコール（ＰＥＴＧ）、サラン、セラミック充填ポリマー、ナノ複合ポリマー、ポリクロロトリフルオロエチレン（ＰＣＴＦＥ）、ポリメチルメタクリレート（ＰＭＭＡ）、アクリロニトリル−メチルアクリレート（ＡＣ−ＭＡ）、ポリフェニレンエテール（ＰＰＥ）、酸化ポリフェニレン（ＰＰＯ）、熱可塑性エラストマー、セロファン、ナイロン、ポリカーボネート（ＰＣ）、遮断特性を有する改良ポリオレフィン、環状オレフィンコポリマー、ポリアクリロニトリル、アクリロニトリルコポリマー、ポリアセタール、改良ポリエステル、アクリル派生物、及び無機遮断被覆、のポリマー、コポリマー、配合物、押出成形物、同時押出成形物、被覆、金属化又は積層化が含まれる。
【００５２】
フォイルのような他の遮断材料や、金属化配向ポリプロピレン（ＯＰＰ）のような金属化ポリマーを使用することも考えられる。遮断層は、少なくとも水蒸気と活性剤には実質的に不透過性で、或る実施形態では、酸素、窒素及び二酸化炭素、又はそれらの組み合わせに対しても不透過性である。遮断層は、従って、水蒸気が（或る実施形態では、酸素、窒素及び二酸化炭素も）パッケージの中に入るのを阻止又は防ぎ、一方では、活性剤がパッケージの内部から漏れ出すのを阻止又は防いでいる。遮断層を形成する際に用いられる代表的な環状オレフィンコポリマーは、ＴＯＰＡＳ８００７である。有用な環状オレフィンコポリマーは、数社から入手可能であると思われる。例えば、ニュージャージ州サミットのＣｅｌａｎｅｓｅＡＧ企業のＴｉｃｏｎａは、環状オレフィンコポリマーを販売している。環状オレフィンコポリマーを販売していると思われる他の会社には、ニッポンゼオン（日本）、三井化学（日本）、及び、正式名称が日本合成ゴムであるＪＳＲ（日本）が含まれている。ＣｅｌａｎｅｓｅＡＧ企業のＴｉｃｏｎａは、環状オレフィンコポリマー（ＣＯＣｓ）を、ＴＯＰＡＳという商標で販売している。これらの環状オレフィンコポリマーは、ノルボルネン及びエチレンの供給原料で、メタロセン触媒を使って準備されるものと思われる。少なくとも４等級のＴＯＰＡＳ樹脂（ＴＯＰＡＳ８００７、ＴＯＰＡＳ６０１３、ＴＯＰＡＳ６０１５、ＴＯＰＡＳ６０１７）が販売されていると思われる。販売されている４等級のＴＯＰＡＳ樹脂は、それぞれ８０、１４０、１６０、１８０℃のガラス転移温度Ｔｇを有している。４等級のＴＯＰＡＳ樹脂の対応するノルボルネンのレベルは、３５、４８、５５、５９モル％である。
【００５３】
薬剤構造５０は、熱可塑性材料を含むポリマー材料で作ることができる。代わりに、パッケージの一部として形成される場合は、ポリマーマトリクス層に、マイクロカプセル封入活性剤をしみ込ませ、又はこれに支持させて、パッケージの構成要素、例えば本体パネルにしてもよい。薬剤構造５０のマトリクス層は、ポリエチレン、ポリプロピレン、ポリスチレン、及びそれらの組み合わせのようなポリオレフィン材料で作ることができる。限定するわけではないが、マトリクス層材料の例には、低密度ポリエチレン（ＬＤＰＥ）、直鎖状低密度ポリエチレン（ＬＬＤＰＥ）、直鎖状中密度ポリエチレン（ＬＭＤＰＥ）、高密度ポリエチレン（ＨＤＰＥ）、極低密度ポリエチレン（ＶＬＤＰＥ）、メタロセン（ｍＰＥ）、ポリプロピレン（ＰＰ）、ポリアミド６、ポリアミド６６とそのコポリアミド、ポリ塩化ビニル（ＰＶＣ）、アクリル、熱可塑性ポリエステル（ＴＰＥ）、エチレン／ビニルアセテート（ＥＶＡ）、ポリスチレン（ＰＳ）、耐衝撃性ポリスチレン（ＨＩＰＳ）、改良ポリスチレン、液晶ポリマー（ＬＣＰ）、ポリアミド、ポリアクリル酸（ＰＡＡ）、ポリ乳酸（ＰＬＡ）、ポリエチレンテレフタレートグリコール（ＰＥＴＧ）、ポリメチルメタクリレート（ＰＭＭＡ）、ポリフェニレンエテール（ＰＰＥ）、熱可塑性エラストマー、及びセルロースと充填プラスチックのポリマー、コポリマー又は配合物が含まれる。これらの材料は、一般的に、水蒸気に対して優れた遮断壁となるが、酸素と活性剤は透過させる。ポリエチレンは再生できるので、これを備えたパッチ、テープ又はポーチを有するのが望ましい。パッチ、テープ又はポーチ構造を形成するのに使用できる材料の別の例は、エチルメチルアクリレート（ＥＭＡ）である。パッチ、テープ又はポーチの表面は、鮮度延長又は臭気管理剤のような活性剤を放出できる多孔性の不織材料（例えばガーゼ）で形成してもよい。臭気を管理するために、臭気管理構造の層の１つには、香材（例えば香水）、香強化鉱物、及び／又は、ポリマー樹脂（例えばＬＬＤＰＥ）を更に含ませてもよい。
【００５４】
当業者には理解頂けるように、パッケージと組み合わせて使用する薬剤の量は、薬剤が使用される環境、例えば、薬剤の消失及び放出速度によって決まる。放出速度は、薬剤がパッケージの内部に放出される速度のことであり、消失速度は、放出された薬剤がパッケージの内部から逃げ出す速度のことである。好適にも、本発明の薬剤は、所定の「貯蔵寿命」の間、又は耐用期間中は、薬剤の放出速度が薬剤の消失速度を上回る量だけ配置されているので、パッケージの内部の薬剤は、それが無くなるより早く補充され、従って、薬剤の効果的な機能が保証されている。薬剤の消失速度は、パッケージの設計、構造及び使用法に関係する様々な要因によって決まる。
【００５５】
追加の層を、被覆、パッチ、ポーチ又はテープに加えることも考えられる。例えば、遮断層を追加して、鮮度延長剤が再閉可能なパッケージの内部と連通し続けるのを支援し、それによって、鮮度延長剤が本体パネルを透過するのを防止又は阻止するのを支援してもよい。
【００５６】
例えば、図１のパッケージの実施形態に示すように、相対する本体パネル１６、１８それぞれは、少なくとも水蒸気と活性剤を実質的に透過させず、或る実施形態では、酸素、窒素、二酸化炭素又はそれらの組み合わせも透過させない遮断層を形成している。相対する本体パネル１６、１８は、而して、先に述べた材料の１つ又はそれ以上を含んでおり、即ち少なくとも部分的にはそれらで形成されている。相対する本体パネル１６、１８は、パッケージの外部及び／又は内部表面に配置されている遮断層を含んでいてもよい。
【００５７】
分かり易くするために、開示している本発明のパッケージを、鮮度延長剤に関してここに説明する。当業者には理解頂けるように、開示しているパッケージは、他の種類の活性剤を含むように適宜修正することもできる。
【００５８】
そのような或る実施形態では、遮断層は、例えば図３ａに示すように、鮮度延長構造の内側表面上に配置される。図３ａには、鮮度延長構造２１４を含んでいる本体パネル２１２と、第２本体パネル（図３ａには図示されていない）とを備えたパッケージの一方の側が描かれている。鮮度延長構造２１４の鮮度延長剤は、内部空間と連通しており、鮮度延長構造２１４の１つの表面は、接着剤、熱シール、又は超音波溶着のような溶着によって本体パネル２１２の表面２１２ａに取り付けられている。他の取り付け方法を使用することも考えられる。例えば、鮮度延長構造を、クリップ又はステープルのような機械的方法を使って、本体パネルの少なくとも１つの表面に取り付けてもよい。この様に、鮮度延長構造は、同時押出成形構造又は積層として設けることもできる。代わりに、フィルム層上に被覆してもよい。
【００５９】
図３ｂに示す一例は、第１本体パネル２１２、第２本体パネル（図３ｂに図示せず）、及び鮮度延長構造２３４を備えた再閉可能なパッケージ２３０を含んでいる。構造２３４は、遮断層である第１層２１６と、鮮度延長剤を含んでいる第２ポリマー層２１８を備えている。第１層２１６は、先に述べた遮断材料の１つを使ったポリマー遮断層である。第２ポリマー層２１８に使用することのできるポリマーの一例は、直鎖状低密度ポリエチレン（ＬＬＤＰＥ）のようなポリオレフィンである。図３ｂの第１層２１６の外側表面２１６ａは、第１本体パネル２１２の内側表面２１２ａに取り付けられている。第２ポリマー層２１８は、鮮度延長剤が内部空間と連通するように、第１層２１６に直接隣接している。第１及び第２層２１６、２１８を形成する材料に依っては、必ずしも層同士を接着で取り付けなくてよい。むしろ、例えば、第１層と第２層を形成するための材料に適合性があれば、第１と第２層を同時押出成形してもよい。
【００６０】
情報を、鮮度延長構造２３４上に、例えば遮断層の上に印刷することも考えられる。構造の異なる場所に印刷することも考えられる。構造が再閉可能なパッケージの内部に配置される場合は、印刷を見易く読み易くするために、本体パネルに最も近い鮮度延長構造の表面に印刷することが望ましい。例えば、図３ｂでは、印刷は、第１本体パネル２１２と第１層２１６の間に配置されるのが望ましい。接着剤を使って、図３ｂの第１層２１６を表面２１２ａに取り付けると、印刷は、接着剤と第１層２１６との間に配置される。熱シール又は機械的方法のような他の取り付け法を使用することも考えられる。
【００６１】
図３ｃでは、再閉可能なパッケージ２５０は、第１本体パネル２１２、第２本体パネル（図３ｃに図示せず）、及びパッチ又はテープの形態をした鮮度延長構造２５４を備えている。構造がポーチ又は被覆の形態であることも考えられる。鮮度延長構造２５４は、遮断層である第１層２１６と、鮮度延長剤を含んでいる第２ポリマー層２１８と、拡散層である第３ポリマー層２２０とを備えている。第１層２１６は、先に論じたように、ポリマー層でもよい。鮮度延長剤を含んでいる第２ポリマー層２１８は、第１層２１６と第３層２２０の間に配置されている。第２ポリマー層２１８に使用することのできるポリマーの一例は、直鎖状低密度ポリエチレン（ＬＬＤＰＥ）のようなポリオレフィンである。鮮度延長剤は、透過可能な第３ポリマー層２２０を介して、再閉可能なパッケージの内部空間と連通している。従って、第３ポリマー層２２０は、透過性を制御し、鮮度延長剤が再閉可能なパッケージの内部全体に入り込める程度まで透過性でなければならない。
【００６２】
第３ポリマー層２２０は、環状オレフィンコポリマーを備えていることが考えられる。第３ポリマー層は、ポリマー構造のカールを減らす助けとするため、約１０から約８０ｗｔ．％、より厳密には、約２０から約４０ｗｔ．％の環状オレフィンコポリマーを備えていてもよい。理論的に確かなわけではないが、カールは、ポリマー構造層を形成している材料が、例えば、収縮率が異なるために互いに適合していない場合に起こり易い。遮断層は、時間が経過するとカールする傾向があるポリエチレンのような材料を備えている拡散層と比べて、あるとしても、時間が経過してもあまりカールしない、より結晶性の材料を備えていてもよい。そのような構造のカールの欠点は、縁が、構造自体の上で横方向にカールする傾向があり、従って処理の問題を引き起こすことである。ポリマー構造のカールは、第３ポリマー層に環状オレフィンコポリマーを使用することによって低減又は阻止することができ、それによって、第１層と第３ポリマー層はより適合性のあるものとなる。環状オレフィンコポリマーを第３ポリマー層２２０に加えると、鮮度延長剤の、再閉可能なパッケージ２５０の内部への透過が遅くなる。
【００６３】
先に論じたように、図３ｃの鮮度延長構造２５４が、ポリマー構造が貼り付くのを防止又は阻止する助けとなる剥離剤（例えば、スリップ添加剤）を有していることも考えられる。情報を構造２５４に印刷することも考えられる。第１層２１６は、接着剤、熱シール又は他の方法で、本体パネルの表面に取り付けることができる。
【００６４】
図３ｄでは、再閉可能なパッケージ２７０は、第１本体パネル２１２、第２本体パネル（図３ｄに図示せず）、及びパッチ又はテープの形態をした鮮度延長構造２７４を備えている。構造２７４がポーチであることも考えられる。鮮度延長構造２７４は、遮断層である第１層２１６と、拡散層であり、鮮度延長剤を含んでいる第２ポリマー層２１９とを備えている。鮮度延長剤は、再閉可能なパッケージ又は袋の内部空間と連通可能でなければならない。第１層２１６は、接着剤、熱シール、溶着又は他の方法で、本体パネル２１２に取り付けることができる。
【００６５】
再閉可能なパッケージは、中に鮮度延長剤を含んでいる２つ以上の鮮度延長構造を含んでいてもよい。例えば、再閉可能なパッケージは、それぞれ鮮度延長剤が入っている２つ又は３つの鮮度延長構造を含んでいてもよい。
【００６６】
鮮度延長構造（例えば、鮮度延長剤が入ったパッチ、ポーチ又は被覆）は、大きさが様々で、所望量の鮮度延長、用いられている具体的な鮮度延長剤、再閉可能なパッケージに用いられている鮮度延長構造の数、及び再閉可能なパッケージの大きさのような要因次第である。鮮度延長構造の寸法は、一般的に、約１／２インチ又は１インチから約１２インチである。限定するわけではないが、鮮度延長構造の寸法は、例えば、１／２インチｘ１インチ、１インチｘ１インチ、１／２インチｘ２インチ、１インチｘ６インチ、２インチｘ４インチ、及び４インチｘ１２インチである。鮮度延長構造の厚さは、本発明では様々であるが、概ね約２０ミル未満であり、約１２から１６ミルであるのが望ましく、約１４から１５ミルであるのが更に望ましい。
【００６７】
別の実施形態によれば、再閉可能なパッケージの鮮度延長構造は、不織布マトリクスに引き渡されている。不織布マトリクスが形成された後で不織布マトリクスにしみ込ませることができる。不織布マトリクスにしみ込ませるのは、鮮度延長剤を被覆することによって行われる。代わりに、不織布マトリクスは、最初に鮮度延長剤付きで形成してもよい。別の実施形態によれば、再閉可能なパッケージの鮮度延長剤は、鮮度延長構造内でマイクロカプセル封入されている。
【００６８】
或る実施形態では、パッチ、テープ、ポーチ又は被覆である鮮度延長構造は、再閉可能なパッケージ１０のような再閉可能なパッケージ又は袋の内部に配置されている。図３ａの例では、再閉可能なパッケージ２１０の一方の側の部分断面図を、本体パネル２１２と鮮度延長構造２１４を備えて示している。構造２１４は、本体パネル２１２の内部表面２１２ａに貼り付けられており、内部表面２１２ａは、再閉可能なパッケージ２１０の内側部分を形成している。
【００６９】
代わりに、被覆、パッチ、ポーチ又はテープである鮮度延長構造は、鮮度延長剤が再閉可能なパッケージの内部に透過できるか、内部と連通できるように、パッケージの外側表面上又はパッケージの層内に配置することができる。例えば、被覆、パッチ、ポーチ又はテープである鮮度延長構造を、再閉可能なパッケージの外側表面上に配置して、鮮度延長構造からの鮮度延長剤が再閉可能なパッケージの内部に透過できるように、本体パネルの一部分を取り外してもよい。例えば、図４は、再閉可能なパッケージ３１０の一方の側の部分断面図を示しており、鮮度延長構造３１４が本体パネル３１６の外側表面３１６ａに取り付けられている。本体パネル３１６は、鮮度延長構造３１４からの鮮度延長剤が再閉可能なパッケージ３１０の内部に透過できるようにする少なくとも１つの開口部３１８を有している。開口部３１８は、再閉可能なパッケージ３１０の本体パネル３１６からこれを貫通して伸張する１つの大きな開口部でもよいし、複数の小さな開口部でもよい。開口部３１８は、穿孔処理を含む当該技術では既知の処理によって形成することができる。
【００７０】
別の例では、図５は、再閉可能なパッケージ又は袋４１０の一方の側の部分断面図を示している。再閉可能なパッケージ又は袋４１０は、外側層４１２、鮮度延長構造４１４、及び開口部４１８付きの内側層４１６を備えている。鮮度延長構造４１４は、外側層４１２と内側層４１６の間に配置され、取り付けられている。開口部４１８は、鮮度延長構造４１４からの鮮度延長剤が再閉可能なパッケージ又は袋４１０の内部と連通できるようにしている。
【００７１】
再閉可能なパッケージの層を鮮度延長構造の鮮度延長剤が透過できるようにして、鮮度延長剤を再閉可能なパッケージの内部と連通させることも考えられる。図６はその様な例を描いており、再閉可能なパッケージ５１０の部分断面図を示している。再閉可能なパッケージ５１０は、鮮度延長構造５１４と拡散層５１６を備えている。拡散層５１６は、鮮度延長構造５１４からの鮮度延長剤が、再閉可能なパッケージの内部に入れるようにしている。
【００７２】
拡散層５１６は、鮮度延長剤が、比較的迅速に再閉可能なパッケージの内部に到達できるようにするのに適した材料で作られている。従って、水、水蒸気、酸素、窒素、二酸化炭素、エチレン、揮発性又は不揮発性の活性剤が透過する材料が、拡散層に用いられる。拡散層５１６の例には、低密度ポリエチレン（ＬＤＰＥ）、直鎖状低密度ポリエチレン（ＬＬＤＰＥ）、極低密度ポリエチレン（ＶＬＤＰＥ）、メタロセン（ｍＰＥ）、ポリプロピレン（ＰＰ）、アクリロニトリルブタジエンスチレン（ＡＢＳ）、ポリアミド６、ポリアミド６６とそのコポリアミド、ポリ塩化ビニル（ＰＶＣ）、アクリル、ポリブチレンテレフタレート（ＰＢＴ）熱可塑性ポリエステル（ＴＰＥ）、エチレン／エチルアクリレート（ＥＥＡ）、エチレン／ビニルアセテート（ＥＶＡ）、ポリスチレン（ＰＳ）、耐衝撃性ポリスチレン（ＨＩＰＳ）、改良ポリスチレン、エチレン−ビニル−アルコール（ＥＶＡＬ又はＥＶＯＨ）、ポリアクリル酸（ＰＡＡ）、ポリ乳酸（ＰＬＡ）、充填ポリマー、親水性ナノ複合ポリマー、ポリメチルメタクリレート（ＰＭＭＡ）、熱可塑性エラストマー、ポリジメチルシロキサン（ＰＤＭＳ）、ポリメチルペンテン（ＰＭＰ）、ポリビニルアセテート（ＰＶＡ）、ポリビニルアルコール（ＰＶＡＬ）、及びセルロースアセテート（ＣＡ）のポリマー、コポリマー、配合物、押出成形物、同時押出成形物、被覆、又は積層が含まれ、これらは全て概ね親水性である。
【００７３】
当業者には理解頂けるように、マトリクス、遮断壁、又は拡散層の何れかを形成するのに、層組成物内の材料の百分率比、層組成物内の材料の量（例えば層組成物の厚さ）及び／又は製作方法に依っては、同じ種類のポリマー材料を用いることができる。従って、特定のポリマー材料を、マトリクス、遮断壁、又は、拡散層の成分として用いるのは、その使用量と方法に依存する。
【００７４】
図７は、別の実施形態を、図６の再閉可能なパッケージ５１０と比べて追加の層（外側層５１２）を含んでいる再閉可能なパッケージ５３０の一方の側の部分断面図で示している。
【００７５】
図３−７に示している再閉可能なパッケージを形成する際に、追加の層を加えることも考えられる。例えば、エチレンビニルアルコール（ＥＶＯＨ）コポリマー又はポリ塩化ビニリデン層（ＰＶＤＣ）を、再閉可能なパッケージの本体パネルを形成するのに、又はパッケージの遮断層を形成するのに用いることができる。そのような遮断層は、鮮度延長成分の再閉可能なパッケージの内部との連通を保持するのを支援をする。鮮度延長強化層のような他の層を考えることもできる。鮮度延長強化層は、湿気が増すと鮮度延長剤の送出を強化するように作用する。そのような鮮度延長強化層は、湿気が増すと、対応して細菌の成長が増し、腐敗し易いものが益々傷み易くなることが多いので、特に有用である。鮮度延長強化層の一例は、ポリビニルアルコール（ＰＶＯＨ）である。
【００７６】
鮮度延長構造２１４は、剥離可能なカバーを含んでいてもよい。そのような実施形態の一例を図８に示しており、本体パネル６１２、鮮度延長構造６１４、及び剥離可能なカバー６２２を備えている再閉可能なパッケージ６１０の一方の側の部分断面図である。剥離可能なカバー６２２は、鮮度延長構造６１４の少なくとも一部を覆っており、再閉可能なパッケージ６１０の内部に曝されている鮮度延長構造６１４全体を覆っていてもよい。剥離可能なカバー６２２は、鮮度延長剤が、図８に示す初期位置にある鮮度延長構造６１４から抜け出るのを防止又は阻止する。剥離可能なカバーは、本体パネル６１２及び／又は鮮度延長構造６１４に取り付けることができる。剥離可能なカバー６２２は、鮮度延長剤の鮮度延長構造６１４からの放出を強化又は開始するため、鮮度延長構造６１４からユーザーによって取り除かれる。通常、ユーザーが剥離可能なカバー６２２を取り外すのは、パッケージに腐敗し易いものを入れようとするときである。剥離可能なカバー６２２の一例は、ＥＶＯＨ又はＰＶＤＣのような遮断層である。剥離可能なカバーを、パッチ、テープ又はポーチの形態をした何らかの鮮度延長構造と共に使用することも考えられる。
【００７７】
或る実施形態によれば、再閉可能なパッケージは、品物を保存するように作られており、第１熱可塑性本体パネル、第２熱可塑性本体パネル、及び、パッケージ内に傷むことなく保存できる時限を延ばすことによって品物の鮮度を延長させるようになっている少なくとも１つのポリマー鮮度延長構造を備えている。第１及び第２本体パネルは、一対の相対する側辺と、側辺同士を架橋する底部とに沿って接続され、開放口部を形成している。接続されている第１及び第２本体パネルは、品物を保存するための内部空間を形成する。ポリマー鮮度延長構造は、第１及び第２本体パネルの一方又は両方の表面に取り付けられ、内部空間と連通している。鮮度延長構造は、更に、最初はポリマー製の鮮度延長構造の少なくとも一部を覆うようになっている剥離可能なカバーを含んでいる。
【００７８】
別の実施形態によれば、２つの鮮度延長構造を含む再閉可能なパッケージが用いられている。例えば、図９ａでは、再閉可能なパッケージ７１０は、第１熱可塑性本体パネル７１２、第２熱可塑性本体パネル（図９ａに示さず）、第１鮮度延長構造７１４ａ、及び第２鮮度延長構造７１４ｂを備えている。先に論じたように、第１及び第２本体パネルは、一対の相対する側辺と、側辺同士を架橋する底部とに沿って接続され、開放口部を形成している。接続されている第１及び第２本体パネルは、品物を保存するための内部空間を形成している。
【００７９】
第１鮮度延長構造７１４ａは、２つの層を備えており、パッチ又はテープである。第１及び第２鮮度延長構造がポーチを形成することも考えられる。第１鮮度延長構造７１４ａは、遮断層である第１層７１６ａと、拡散層であり、鮮度延長剤を含んでいる第２ポリマー層７１９ａとを備えている。第１層７１６ａは、ポリマー層でもよい。第２ポリマー層７１９ａは、第１層７１６ａに直接隣接している。接着剤、熱シール又は他の方法で第１本体パネル７１２に取り付けられている第１層７１６ａを、図９ａに示している。
【００８０】
同様に、第２鮮度延長構造７１４ｂは、２つの層を備えており、パッチ又はテープである。第２鮮度延長構造７１４ｂは、遮断層である第３層７１６ｂと、拡散層であり、鮮度延長剤を含んでいる第４ポリマー層７１９ｂとを備えている。第４ポリマー層７１９ｂは、第３層７１６ｂに直接隣接している。第３層７１６ｂは、ポリマー層でもよい。第２ポリマー層７１９ａは、各鮮度延長剤が内部領域７１７を介して再閉可能なパッケージ７１０の内部に透過するように、選択された場所で第４ポリマー層７１９ｂに解除可能に熱シールされている。
【００８１】
内部領域７１７は、互いに対してカールしている第１及び第２鮮度延長構造７１４ａ、ｂを有することによって形成されている。図９ａに示すように、内部領域７１７は、第２及び第４ポリマー層７１９ａ、ｂの間に形成されている。鮮度延長構造の僅かなカールによって、鮮度延長剤が再閉可能なパッケージの内部と連通できるようになる。図９に示す実施形態では、鮮度延長剤が再閉可能なパッケージ又は袋の内部と連通するのを支援するカールを有しているのが望ましい。先に述べたように、鮮度延長構造のカールは、鮮度延長構造を形成する際に、適合性の少ない（即ち、材料の収縮率が異なる）材料を使用することで形成することができる。
【００８２】
２つの鮮度延長構造を形成する際に追加の層を使用することも考えられる。例えば、図９ｂでは、再閉可能なパッケージ７３０は、第１熱可塑性本体パネル７１２、第２熱可塑性本体パネル（図９ｂに示さず）、第１鮮度延長構造７３４ａ、及び第２鮮度延長構造７３４ｂを備えている。第１及び第２本体パネルは、一対の相対する側辺と、側辺同士を架橋する底部とに沿って接続され、開放口部を形成している。接続されている第１及び第２本体パネルは、品物を保存するための内部空間を形成している。
【００８３】
第１鮮度延長構造７３４ａは、３つの層を備えており、パッチ又はテープである。第１及び第２鮮度延長構造が、ポーチ又は被覆を形成することも考えられる。第１鮮度延長構造７３４ａは、遮断層である第１層７１６ａと、鮮度延長剤を含んでいる第２ポリマー層７１８ａと、拡散層である第３ポリマー層７２０ａを備えている。第１層７１６ａは、ポリマー層でもよい。第２ポリマー層７１８ａは、第１層と第３層７１６ａ、７２０ａの間に配置されている。鮮度延長剤が内部空間と連通するように、接着剤又は熱シールによって第１本体パネル７１２に取り付けられている第１層７１６ａを、図９ａに示している。例えばクリップ又はステープルなど機械的装置のような別の取り付け方法を使うことも考えられる。
【００８４】
同様に、第２鮮度延長構造７３４ｂも、３つの層を備えており、パッチ又はテープである。第２熱可塑性鮮度延長構造７３４ｂは、遮断層である第４層７１６ｂと、鮮度延長剤を備えている第５ポリマー層７１８ｂと、拡散層である第６ポリマー層７２０ｂを備えている。第４層７１６ｂは、ポリマー層でもよい。第５ポリマー層７１８ｂは、第４層と第６層７１６ｂ、７２０ｂの間に配置されている。第３ポリマー層７２０ａは、第２ポリマー層７１８ａと第５ポリマー層７１８ｂの各鮮度延長剤が、第３ポリマー層７２０ａと第６ポリマー層７２０ｂの間の再閉可能なパッケージの内部空間に入れるように、選択された場所で第６ポリマー層７２０ｂに熱シールされている。
【００８５】
先に述べたように、内部領域７２７は、第１及び第２鮮度延長構造７３４ａ、ｂが互いに対してカールしていることによって形成されている。図９ｂに示しているように、内部領域７２７は、第３及び第６ポリマー層７２０ａ、ｂの間に形成されている。
【００８６】
別の実施形態による、第１熱可塑性本体パネル８１２ａ、第２熱可塑性本体パネル８１２ｂ、第１鮮度延長構造８１４ａ、及び第２鮮度延長構造８１４ｂを備えた再閉可能なパッケージ８１０を図１０ａに示している。第１及び第２本体パネル８１２ａ、８１２ｂは、一対の相対する側辺と、側辺同士を架橋する底部とに沿って接続され、開放口部を形成している。接続されている第１及び第２本体パネルは、品物を保存するための内部空間を形成している。
【００８７】
第１鮮度延長構造８１４ａは、２つの層を備えており、パッチ又はテープである。第１及び第２鮮度延長構造は、ポーチの形態をしていることも考えられる。第１鮮度延長構造８１４ａは、遮断層である第１層８１６ａと、拡散層であり、鮮度延長剤を含んでいる第２ポリマー層８１９ａとを備えている。第１層８１６ａは、ポリマー層でもよい。第２ポリマー層８１９ａは、第１層８１６ａに直接隣接している。第１層８１６ａを、接着剤、熱シールによって、第１本体パネル８１２ａに取り付けられているように図１０ａに示している。他の取り付け方法を使用することも考えられる。第１本体パネル８１２ａに貼り付けるため、第１層８１６ａは、室温では付着又は粘着しない被覆を含んでいてもよい。その様な被覆は、例えば、高温になるか、赤外線放射又は熱に曝されると粘着性になるようなものでもよい。
【００８８】
同様に、第２鮮度延長構造８１４ｂは、２つの層を備えており、パッチ又はテープである。第２鮮度延長構造８１４ｂは、遮断層である第３層８１６ｂと、拡散層であり、鮮度延長剤を含んでいる第４ポリマー層８１９ｂとを備えている。第３層８１６ｂはポリマー層でもよい。第４ポリマー層８１９ｂは、第３層８１６ｂに直接隣接している。第３層８１６ｂを、接着剤、熱シールによって、第２本体パネル８１２ｂに取り付けられているように図１０ａに示している。他の取り付け方法を使用することも考えられる。第２本体パネルに貼り付けるために、第３層８１６ｂは、室温では付着又は粘着しない被覆を含んでいてもよい。その様な被覆は、例えば、高温になるか、赤外線放射又は熱に曝されると粘着性になるようなものでもよい。
【００８９】
第１鮮度延長構造と第２鮮度延長構造を異なる組成物で形成することも考えられる。例えば、第１構造は第１鮮度延長剤を含んでおり、第２鮮度延長構造は第２鮮度延長剤であってもよい。そのような実施形態を形成する際には、第１及び第２鮮度延長構造を、例えば、２つの異なるパッチ、テープ、ポーチを押出成形するか、又は２つの異なる被覆を施すことによって形成してもよい。
【００９０】
代わりに、再閉可能なパッケージを、２つ又はそれ以上の層構造以外のもので形成してもよい。例えば、本体パネル８１２が遮断層を画定するのに適した材料で形成されていれば、遮断層を設ける必要はない。更に、図１０ｂに示しているように、再閉可能なパッケージ８３０は、鮮度延長剤を備えた第１層８１６ａと、拡散層である第２ポリマー層８１８ａを備えている第１鮮度延長構造８３４ａを含んでいる。再閉可能なパッケージ８３０は、更に、鮮度延長剤を備えた第３層８１６ｂと、拡散層である第４ポリマー層８１８ｂを備えている第２鮮度延長構造８３４ｂを含んでいる。第１及び第２鮮度延長構造を、例えば異なる鮮度延長剤又は拡散層で作るように、異なる組成物で作ることも考えられる。
【００９１】
更に別の実施形態によれば、再閉可能なパッケージは、３つ又はそれ以上の層で形成することができる。例えば、図１０ｃに示しているように、再閉可能なパッケージ８５０は、遮断層である第１層８１６ａと、鮮度延長剤を備えている第２ポリマー層８１８ａと、拡散層である第３ポリマー層８２０ａとを備えている第１鮮度延長構造８５４ａを含んでいる。再閉可能なパッケージ８５０は、遮断層である第４層８１６ｂと、鮮度延長剤を備えている第５ポリマー層８１８ｂと、拡散層である第６ポリマー層８２０ｂとを備えている第２鮮度延長構造８５４ｂを含んでいる。第１及び第２鮮度延長構造８５４ａ、ｂは、接着剤又は熱シールによって、それぞれ第１及び第２本体パネル８１２ａ、８１２ｂに取り付けられている。第１及び第２構造を、例えば異なる遮断材料又は鮮度延長剤で作るように、異なる組成物で作ることも考えられる。
【００９２】
先に述べたように、本発明の鮮度延長剤には、ユーザーが再閉可能なパッケージを開くか、又は中に内容物を入れることによって始動される活性化システムを備えることもできる。或る実施形態では、図８に示し、それに関連して説明した実施形態のように、本発明の鮮度延長剤の活性化システムは、機械的なものである。例えば、図８の実施形態では、活性化システムは、分離させると鮮度延長剤の放出が始まるミシン目又は剥離システムを含んでいる。
【００９３】
本発明のそのような別の態様による、第１熱可塑性本体パネル９１２ａ、第２熱可塑性本体パネル９１２ｂ、及びそれらの間に配置されている鮮度延長構造９１４を備えた再閉可能なパッケージ９１０を図１１ａに示している。第１及び第２本体パネル９１２ａ、９１２ｂは、一対の相対する側辺と、側辺同士を架橋する底部とに沿って接続され、開放口部を形成している。接続されている第１及び第２本体パネルは、品物を保存するための内部空間を形成している。鮮度延長構造９１４は、ここに具体化されているパッチ又はテープの形態をしており、３つの層を備えている。具体的には、図１１ａに示している鮮度延長構造９１４は、遮断層である第１層９１６ａと、壊れ易い拡散層であり、鮮度延長剤を備えている第２ポリマー層９１９と、遮断層である第３層９１６ｂとを備えている。
【００９４】
図１１ａに示しているように、第２層９１９は、第１遮断層９１６ａと第２遮断層９１６ｂの間に伸張している一回限り破断可能要素である。第２層９１９の一回限り破断可能要素は、従って、図１１ａに示している最初の状態にあるときには、鮮度延長剤がパッケージ内に漏れ出るのを阻止又は防止する。
【００９５】
一回限り破断可能要素９２１は、１つ又は複数のポリマー樹脂及びポリオレフィンを含んでいてもよく、先に述べた何れの鮮度延長構造とでも共に使用することができる。一回限り破断可能要素として用いられるポリオレフィンには、限定するわけではないが、ポリエチレン、ポリプロピレン及びそれらの組み合わせが含まれる。限定するわけではないが、ポリエチレンの種類には、低密度ポリエチレン（ＬＤＰＥ）、直鎖状低密度ポリエチレン（ＬＬＤＰＥ）、高密度ポリエチレン（ＨＤＰＥ）、中密度ポリエチレン（ＭＤＰＥ）及びそれらの組み合わせが含まれる。限定するわけではないが、他には、例えば、プラストマー、エラストマー、エチレンビニルアセテート（ＥＶＡ）、エチルメタクリレート、ポリメチルペンテンコポリマー、ポリイソブチレン、ポリオレフィンイオノマー、環状オレフィンコポリマー（ＣＯＣｓ）、又はポリエチレン及び／又はポリプロピレンを含め、それらの組み合わせが含まれる。
【００９６】
第２層９１９の一回限り破断可能要素は、先に述べた優先弱体領域又は引裂領域と同様の一回限り破断可能な優先弱体領域又は優先引裂領域か、又は一回限り破断可能な接着剤又は粘着性シールを含んでいる。代わりに、第２層９１９は、拡散材料を選択的に架橋結合させて、一回限り破断可能要素を画定することによって形成してもよい。一般的に、第２層９１９と隣接層の間の接着は、部分９１９ａと９１９ｂを接合している一回限り破断可能要素の壊れ易い部分より強くなければならず、これについては以下更に説明する。
【００９７】
図１１ｂに示しているように、一回限り破断可能要素が破断すると、第２層９１９は第１部分９１９ａと第２部分９１９ｂに分割され、各部分の表面が露出して、鮮度延長剤のそこへの放出が開始又は強化される。通常、ユーザーが一回限り破断可能要素を破断するのは、中に内容物を入れるためにパッケージを最初に開くときである。
【００９８】
機械的な放出機構を有するそのような別の実施形態に関し、第１熱可塑性本体パネル本体パネル１０１２ａ、第２熱可塑性本体パネル本体パネル１０１２ｂ、鮮度延長構造１０１４、及び取り外し可能又は剥離可能なカバー１０２１を備えた再閉可能なパッケージ１０１０を、図１２ａに示している。第１及び第２本体パネル１０１２ａ、１０１２ｂは、一対の相対する側辺と、側辺同士を架橋する底部とに沿って接続され、開放口部を形成している。接続されている第１及び第２本体パネルは、品物を保存するための内部空間を形成している。鮮度延長構造１０１４は、パッチ又はテープの形態をしており、２つの層、例えば、遮断層である第１層１０１６と、拡散層であり、鮮度延長剤を含んでいる第２ポリマー層１０１９とを備えている。
【００９９】
図１２ａに示しているように、取り外し可能なカバー１０２１は、図８のものと同様であるが、パネル１０１２ｂに堅く取り付けられている。取り外し可能なカバー１０２１は、第２層１０１９の少なくとも一部を覆っており、また、図示のように、第２層１０１９全体を覆って、パッケージ１０１０の内部に露出しないようにしているのが望ましい。図１２ｂに示しているように、カバー１０２１を取り外すと、鮮度延長層１０１９がパッケージ１０１０の内部に露出して、少なくともパッケージが開いているときは、パッケージ内部への鮮度延長剤の放出を開始又は強化する。図１２ａ及び１２ｂのこの実施形態は、特に廃棄物の袋及びライナーなどに適している。
【０１００】
代わりに、或る実施形態では、取り外し可能なカバー１０２１は、再閉可能なパッケージ１０１０のファスナーのスライダーと協働するようになっていて、再閉可能なパッケージ１０１０がスライダーによって開かれるときに、取り外し可能なカバーが鮮度延長層から取り外せるようになっている。
【０１０１】
パッチ、テープ又はポーチのような本発明の鮮度延長構造は、感圧性自己接着剤によって、再閉可能な袋のようなパッケージに取り付けることもできる。感圧性自己接着剤は、鮮度延長構造を再閉可能なパッケージに取り付けるのに適していればどの様な接着剤でもよい。限定するわけではないが、使用できる感圧性接着剤には、アクリル又はゴムベースの接着剤が含まれる。
【０１０２】
テープ又はポーチである鮮度延長構造は、再閉可能なパッケージの層上にロールで供給してもよい。テープ又はポーチであるロールで供給される鮮度延長構造は、最初は、鮮度延長剤が再閉可能なパッケージに取り付ける前に自分に貼り付くのを防止又は阻止するのを支援する剥離ライナーを備えていてもよい。剥離ライナーを使用する場合、剥離ライナーは、ロールで供給される鮮度延長テープ又はポーチから、テープ又はポーチが再閉可能なパッケージ又は袋に取り付けられる前に剥がされる。剥離ライナーの例には、シリコン被覆紙が含まれる。しかしながら、剥離ライナーは、それに伴うコストが余分に掛かるので望ましくない。鮮度延長構造は、再閉可能なパッケージ又は袋に取り付けられるまで、剥離ライナーを使用せずにロールで供給することも考えられる。
【０１０３】
代わりに、パッチ又はポーチである鮮度延長構造は、再閉可能なパッケージに取り付ける際に弾倉式に供給してもよい。パッチは、弾倉式に供給するのが望ましく、ポーチは、弾倉式に供給してもロールで供給してもよい。テープは、再閉可能なパッケージに取り付ける際にロールで供給するのが望ましい。例えば、テープは、巻きを解いて、所定の長さに切断し、再閉可能なパッケージに取り付ける。
【０１０４】
別の実施形態によれば、鮮度延長構造のパッチ、テープ又はポーチは、再閉可能なパッケージ又は袋に直接に熱シール又は溶着（例えば、超音波溶着）することができる。鮮度延長構造は、再閉可能なパッケージに熱シール又は溶着される前に、ロールで供給されるか、又は弾倉式に供給される。熱シールの実施形態では、何らの接着剤も付いていない鮮度延長構造は、自分自身に貼り付かず、剥離ライナーは不必要なコストを追加するので、剥離ライナーが用いられることは少ない。鮮度延長構造は、幾つかの場所で再閉可能なパッケージに取り付けてもよい。鮮度延長構造は、熱シール形成の間に、本体パネルに取り付けることができる。例えば、鮮度延長構造は、第１及び第２本体パネルの間に形成される側辺シールの間に配置してもよい。他の取り付け法を使用することも考えられる。
【０１０５】
再閉可能なパッケージ１０のような再閉可能なパッケージは、腐敗し易いものの保存を含め、品物を保存し又は集めるのに適した熱可塑性材料のような、どの様な適した材料で形成してもよい。勿論、これには、パイント貯蔵及びフリーザーバッグと、クォート貯蔵及びフリーザーバッグと、ガロン貯蔵及びフリーザーバッグのような一般的なサイズの再閉可能なパッケージが含まれる。再閉可能なパッケージは、通常、ポリオレフィン材料のようなポリマー材料で形成される。限定するわけではないが、ポリオレフィン材料の例には、ポリエチレン、ポリプロピレン、ポリスチレン及びそれらの組み合わせが含まれる。例えば、或る種のポリエチレン材料には、高密度ポリエチレン（ＨＤＰＥ）、低密度ポリエチレン（ＬＤＰＥ）、直鎖状低密度ポリエチレン（ＬＬＤＰＥ）及びそれらの組み合わせが含まれる。本発明の再閉可能なパッケージを形成するのに、プラストマー、エラストマー、エチレンビニルアセテート（ＥＶＡ）、エチルメタクリレート、ポリメチルペンテンコポリマー、ポリイソブチレン、ポリオレフィンイオノマー、環状オレフィンコポリマー（ＣＯＣｓ）、又はそれらの組み合わせのような材料を、ポリエチレン及び／又はポリプロピレンを含め、使用することも考えられる。再閉可能なパッケージの厚さは、本発明では様々であるが、概ね約０．５から約５ミルであり、より特定的には、約１から約３ミルである。
【０１０６】
先に説明したように、本発明の鮮度延長剤は、パッケージの本体パネルと組み合わせて用いることができる。代わりに、及び／又は組み合わせて、本発明の鮮度延長剤は、同時係属中の米国特許出願第（弁理士事件整理番号第０８６０１２−３８６００−ＵＳＰＴ）で詳しく説明しているように、再閉可能なパッケージのファスナーのフィン部分と組み合わせて用いることができ、同出願の内容全体を、参考文献としてここに援用する。
【０１０７】
以上、開示した活性剤付きパッケージを、図示の実施形態を参照しながら示し、説明してきたが、当業者には理解頂けるように、これらの実施形態には多くの等価物が考えられる。そのような等価物は、本開示の範囲及び特許請求の範囲に包含される。
【０１０８】
例えば、当業者には理解頂けるように、本発明は、再閉不可能な袋及びライナー、プラスチック容器のような硬質の容器、弁当箱、硬質のくず箱、及び、腐敗し易い包装ラップとフォィルを含め、様々な型式のパッケージ及び容器に適用することができる。同様に、当業者には理解頂けるように、本発明は、臭気管理剤のような鮮度延長剤以外の活性剤、及びパッケージ又はその中に入っている内容物に所望の機能又は効果を提供する他の薬剤に適用することができる。
【０１０９】
特に指定がなければ、ここで名詞を修飾するのに用いている冠詞は、修飾されている名詞の数に関し、１つ又はそれ以上を含むものと理解頂きたい。
【図面の簡単な説明】
【０１１０】
【図１】本発明の或る実施形態による、再閉可能なパッケージ、即ち、相対する本体パネルが各フィン部分に取り付けられている袋の口部の断面図である。
【図２】別の実施形態による、図１に示した口部を組み込んだ再閉可能なパッケージの斜視図であり、再閉可能なファスナー又はジッパーのスライダー機構が開かれ、一回限り破断可能要素は部分的に開かれている。
【図３】図３ａは、本発明の或る実施形態による、１層のポリマー構造を備えている再閉可能なパッケージ又は袋の一方の側部の部分断面図である。図３ｂは、本発明の或る実施形態による、２層のポリマー構造を備えている再閉可能なパッケージ又は袋の一方の側部の部分断面図である。図３ｃは、本発明の或る実施形態による、３層のポリマー構造を備えている再閉可能なパッケージ又は袋の一方の側部の部分断面図である。図３ｄは、本発明の別の実施形態による、２層のポリマー構造を備えている再閉可能なパッケージ又は袋の一方の側部の部分断面図である。
【図４】本発明の別の実施形態による、再閉可能なパッケージ又は袋の一方の側部の部分断面図である。
【図５】本発明の更に別の実施形態による、再閉可能なパッケージ又は袋の一方の側部の部分断面図である。
【図６】本発明の更に別の実施形態による、再閉可能なパッケージ又は袋の一方の側部の部分断面図である。
【図７】本発明の更に別の実施形態による、再閉可能なパッケージ又は袋の一方の側部の部分断面図である。
【図８】本発明の更に別の実施形態による、再閉可能なパッケージ又は袋の一方の側部の部分断面図である。
【図９】図９ａは、本発明の或る実施形態による、４層のポリマー構造を含んでいる再閉可能なパッケージ又は袋の一方の側部の部分断面図である。図９ｂは、本発明の或る実施形態による、６層のポリマー構造を含んでいる再閉可能なパッケージ又は袋の一方の側部の部分断面図である。
【図１０】図１０ａは、本発明の或る実施形態による、それぞれが２層を備えた２つのポリマー構造を含んでいる再閉可能なパッケージ又は袋の２つの側部の部分断面図である。図１０ｂは、本発明の別の実施形態による、それぞれが２層を備えた２つのポリマー構造を含んでいる再閉可能なパッケージ又は袋の２つの側部の部分断面図である。図１０ｃは、本発明の或る実施形態による、それぞれが３層を備えた２つのポリマー構造を含んでいる再閉可能なパッケージ又は袋の２つの側部の部分断面図である。
【図１１】図１１ａは、間にポリマー構造が配置されている再閉可能なパッケージ又は袋の２つの側部の部分断面図であり、ポリマー構造は一回限り破断可能要素を含んでいる。図１１ｂは、図１１ａの再閉可能なパッケージ又は袋の、一回限り破断可能要素の破断後の状態を示す部分断面図である。
【図１２】図１２ａは、再閉可能なパッケージ又は袋の２つの側部の部分断面図であり、一方の側部は２つの層を備えたポリマー構造を含んでおり、ポリマー構造は、取り外し可能要素によって他方の側部に接続されている。図１２ｂは、図１２ａの再閉可能なパッケージ又は袋の、取り外し可能要素を取り外した後の状態を示す部分断面図である。
【図１】
2007522040.tif 000003
【図２】
2007522040.tif 000004
【図３ａ】
2007522040.tif 000005
【図３ｂ】
2007522040.tif 000006
【図３ｃ】
2007522040.tif 000007
【図３ｄ】
2007522040.tif 000008
【図４】
2007522040.tif 000009
【図５】
2007522040.tif 000010
【図６】
2007522040.tif 000011
【図７】
2007522040.tif 000012
【図８】
2007522040.tif 000013
【図９ａ】
2007522040.tif 000014
【図９ｂ】
2007522040.tif 000015
【図１０ａ】
2007522040.tif 000016
【図１０ｂ】
2007522040.tif 000017
【図１０ｃ】
2007522040.tif 000018
【図１１ａ】
2007522040.tif 000019
【図１１ｂ】
2007522040.tif 000020
【図１２ａ】
2007522040.tif 000021
【図１２ｂ】
2007522040.tif 000022
【国際調査報告】
2007522040.tif 000023
2007522040.tif 000024
2007522040.tif 000025